(57)【特許請求の範囲】
【請求項１】
頭部と胴部を有し、可撓性の外皮を有する人形であって、
前記胴部の内側に配置されたフレームと、
該フレームに沿ってを上下方向に移動可能なスライド部材と、
前記フレームの両側において、前記胴部のわきの下に左右方向に可動するように取りつけられ、この作動に伴って前記スライド部材を移動させる作動レバーと、
少なくとも一端が３枝に分かれ、それぞれの端部が左ほほ部、口部、右ほほ部に固定され、前記スライド部材の移動に伴って、一部がスライド部材とリンクして可動するアーム部材と、を有し、
前記作動レバーの操作によって口部を開閉し、且つほほ部にエクボが出現し、また消失することを特徴とする人形。
【発明の詳細な説明】
【０００１】
【発明の属する技術分野】
本発明は、マスコット、ぬいぐるみ等の人形に関する。
【０００２】
【従来の技術】
従来、マスコット、ぬいぐるみ等の人形においては人形が有する外観性に加えて、人形に動作をさせ、さらに愛玩性を増す試みがなされてきた。その方法としては、内部に電源を有し、センサ等の入力に反応してモータや歯車等を駆動させ、人形の動作を行なう方法が一般的である。
【０００３】
【発明が解決しようとする課題】
しかしながら、前述した人形は構造が複雑で、組み立てが面倒となり高価になるとともに、人形の機械的な動作は、自然な動作とは異なる動作である。また、動作をさせるモータや歯車等の機械類は主に金属でできており、駆動するための電源が必要とされるため人形としては重量があり、人形としてよく行なわれる操作者が持ち上げる等の作業には適さず、人形に対する操作者の興味を損なうという欠点があった。
【０００４】
そこで本発明の目的は、愛玩品としての人形が有する外観性に加え、軽量で簡潔な内部構造により自然な動作を行なわせることにより、さらに愛玩性を増した人形を提供することにある。
【０００５】
【課題を解決するための手段】
上記目的を達成するために本発明の代表的な構成は、頭部と胴部を有し、可撓性の外皮を有する人形であって、前記胴部の内側に配置されたフレームと、該フレームに沿ってを上下方向に移動可能なスライド部材と、前記フレームの両側において、前記胴部のわきの下に左右方向に可動するように取りつけられ、この作動に伴って前記スライド部材を移動させる作動レバーと、少なくとも一端が３枝に分かれ、それぞれの端部が左ほほ部、口部、右ほほ部に固定され、前記スライド部材の移動に伴って、一部がスライド部材とリンクして可動するアーム部材と、を有し、前記作動レバーの操作によって口部を開閉し、且つほほ部にエクボが出現し、また消失することをを特徴とする。
【０００６】
【発明の実施の形態】
（第１実施形態）
以下図面を参照して、本発明に係る人形について説明をする。図１は本発明の外観斜視図、図２は本発明の作動部の作動前後の正面図、図３は本発明の頭部の内部構造を示す背面斜視図、図４は本発明の作動部の作動前後の側面図である。
【０００７】
図１に示すように、本発明の人形本体１は、頭部２及び胴部３を有し、前記頭部２には口部４及びほほ部５を有する。本発明に係る人形は、非作動時には図１（ａ）のように口部４は開いており、ほほ部５にエクボは見られない。ここで、操作者が胴部３を握り、親指と他の指で人形本体１の胴部３のわきの下３ｂを押すと、図１（ｂ）のように、口部４は閉じ、ほほ部５にエクボが現れる。以下、作動機構の構造を詳しく説明する。
【０００８】
図２に示すように、人形本体１の内部には、作動機構９が備わっており、これにより人形に動作をさせることができる。作動機構９は、作動機構９全体の基礎となり各部材を支えるフレーム10、フレーム10の中心を摺動可能に備えられたスライド部材11、フレーム10の左右方向に移動可能に備えられたＬ次型の作動レバー12及びスライド部材11に片方の端部をリンクされたアーム部材20（図４参照）により構成される。
【０００９】
フレーム10は、主として胴部３に収められ、スライド部材11はその上部が頭部２に内に突出した状態となる。また作動レバー12は、胴部３のわきの下３ｂの内部に位置決めされる。アーム部材20は、図３示すように、一端が中央の第一枝20ａ、第二枝20ｂ、第三枝20ｃに分岐し、全体が水平となるように、それぞれの枝20ａ、20ｂ、20ｃが、口部４の下唇部４ａ裏面、左右のほほ部５（右ほほ部５ａ、左ほほ部５ｂ）裏面に取り付けられている。そして、第一枝20ａを前記スライド部材11の長孔11ｃに通すことによって、スライド部材11とアーム部材20とをリンクさせている。
【００１０】
なお、頭部２及び胴部３の外皮２ａ、３ａは軟質の可撓性のある合成樹脂により形成されており、アーム部材20の移動に伴って変形する。また、ガイド軸10ｂ及びスライド軸11ａには図示しないコイルばね等の付勢手段を有し、スライド部材11は上方に付勢される。
【００１１】
次に作動機構９の動作について説明する。操作者が人形本体１のわきの下３ｂを押すと、作動レバー12の押圧部12ａが押される。押圧部12ａが押されたことにより、作動レバー12は軸13を中心に回動する。Ｌ字形状の作動レバー12の押圧部12ａと反対の端部に設けられた穴12ｂは、スライド部材11の下部に備えられたスライド軸11ａを、フレーム10中央部に設けられたスライド穴10ａに沿って下へと移動させる。
【００１２】
スライド部材11は下へ移動する際、スライド部材11の上部に設けられたガイド穴11ｂをフレーム10に設けられたガイド軸10ｂに沿わせることにより、フレーム10の中央部から外れることはない。スライド部材11が下へ移動したことにより、スライド部材11の上端に設けられた長孔11ｃを下へ移動させることができる。
【００１３】
操作者が人形本体１のわきの下３ｂから手を離すと、図示しない付勢手段によりスライド軸11ａは上方に戻され、図２（ｂ）の状態から図２（ａ）の状態へ戻る。
【００１４】
頭部２には、前述のように口部４とほほ部５を有する。人形の動作を図４を用いて説明する。通常の状態（わきの下が押されていない状態）では、図４（ａ）に示すように、アーム部材20は下唇部４ａとほほ部５に長孔11ｃから下に向かって当接し、口部４を開き、ほほ部５にエクボは出現しない状態を保つ。
【００１５】
操作者がわきの下３ｂを押すと、図４（ｂ）に示すように、前述の構成により、作動レバー12が押されてスライド部材11が下げられ、スライド部材11とリンクしているアーム部材20の下唇部４ａ及びほほ部５に対する当接角度が変わる。そして第一枝20ａと下唇部４ａの接合部Ｘ、第二枝20ｂ、第三枝20ｃとほほ部５の接合部Ｙが梃子の支点／作用点として働き、頭部２の外皮２ａが変形することで、口部４においては口部４を閉じる動作をし、ほほ部５においては一部が凹んでエクボ30が出現する。
【００１６】
操作者がわきの下３ｂから手を離すと、図示しない付勢手段によりスライド軸11ａが上方に回復する（図４（ａ）参照）。これにより人形本体１は、再び口部４を開き、ほほ部５からはエクボが消失する状態、すなわち通常の状態に戻る。
【００１７】
尚、前記作動機構９の構成は簡潔であるため、金属のように重量のあるものでなく、プラスティックや木材等の軽量の材料で作ることが望ましい。
【００１８】
以上の構成により、愛玩品としての人形が有する外観性に加え、軽量で簡潔な内部構造により自然な動作を行なわせることができる。
【００１９】
（他の実施形態）
前述の実施形態においては、作動レバーを元の位置に戻す付勢手段としてコイルばねを例示して説明したが、本発明はこれに限定されるものではなく、板ばねやたけのこばねで置換しても、同様の効果が期待できる。
【００２０】
また、頭部２の外皮２ａが十分な復元力を有せば、かかる付勢手段は不要な場合が有りうる。
【００２１】
尚、人形の目の部分に対して、人形の姿勢によってまぶたを開閉する構造にすると、さらに愛玩性を増すことができる。
【００２２】
【発明の効果】
以上のように、本発明においては、わきの下にある作動レバーの操作によって口部を開閉し、且つほほ部にエクボが出現し、また消失することを特徴としたため、愛玩品としての人形が有する外観性に加え、軽量で簡潔な内部構造で、人形の表情を変化させることにより、さらに愛玩性を増すことができた。
【図面の簡単な説明】
【図１】本発明の外観斜視図である。
【図２】本発明の作動部の作動前後の正面図である。
【図３】本発明の頭部背面図である。
【図４】本発明の作動部の作動前後の側面図である。
【符号の説明】
Ｘ    …接合部
Ｙ    …接合部
１    …人形本体
２    …頭部
２ａ  …外皮
３    …胴部
３ａ  …外皮
３ｂ  …わきの下
４    …口部
４ａ  …下唇部
５    …ほほ部
５ａ  …右ほほ部、５ｂ  …左ほほ部
９    …作動機構
10    …フレーム
10ａ  …スライド穴、10ｂ  …ガイド軸
11    …スライド部材
11ａ  …スライド軸、11ｂ  …ガイド穴、11ｃ  …長孔
12    …作動レバー
12ａ  …押圧部
13    …軸
20    …アーム部材
20ａ  …第一枝、20ｂ  …第二枝、20ｃ  …第三枝
30    …エクボ
【図１】
0004450499.tif 000002
【図２】
0004450499.tif 000003
【図３】
0004450499.tif 000004
【図４】
0004450499.tif 000005